(57)【要約】【課題】  本発明は、圧力流体を噴出する流体吹出しノズルと、流体を吸引する流体吸引ノズルとを合体させた吸排一体装置を提供することを目的とする。【解決手段】  本発明の吸排一体装置は、流体吸引ノズル３と、流体吹出しノズル８とを背中合わせに連結した構造からなるものにおいて、前記流体吸引ノズル３は、ゴムホース４を連結されて開口するノズル孔１０と、デフューザ１１を介して前記ノズル孔１０より大径のノズル室１２を有するノズル外筒１からなり、前記ノズル室１２内部には、先端外形が前記デフューザ１１と同形状となるよう傾斜面にし、先端内にオリフィス出口１３を有する前記ノズル嘴２が配置され、接続部９の中央孔１５に雌ネジ１６が形成されると共に、前記ノズル嘴２の基部に形成された雄ネジ１４が接続部９の中央孔１５に螺合され、前記中央孔１５の反対側に流体吹出しノズル８のノズル嘴７が螺合されたものである。【選択図】  図１
2005288231.tif 000002
【特許請求の範囲】
【請求項１】
ノズル外筒内部にノズル嘴を備えた流体吸引ノズルと、ノズル内筒内部にノズル嘴を連結固定した流体吹出しノズルとを背中合わせに連結した構造からなる吸排一体装置において、前記流体吸引ノズルは、先端にゴムホースを連結されて開口するノズル孔と、中央部のデフューザを介して前記ノズル孔より大径のノズル室とに分けられている中空筒体のノズル外筒からなり、前記ノズル室内部には、先端外形が前記デフューザと同形状となるよう傾斜面にし、先端内にオリフィス出口を有する前記ノズル嘴が配置され、キャップ状の接続部の中央孔に雌ネジが形成されると共に、前記ノズル嘴の基部に形成された雄ネジが接続部の中央孔に螺合され、前記中央孔の反対側に流体吹出しノズルのノズル嘴が螺合されて、前記流体吸引ノズルと前記流体吹出しノズルとは前記接続部を介して背中合わせに接合連結したことを特徴とする吸排一体装置。
【発明の詳細な説明】
【技術分野】
【０００１】
本発明は、圧力流体を噴出する流体吹出しノズルと、流体を吸引する流体吸引ノズルとを合体させた吸排一体装置に関する。
【背景技術】
【０００２】
従来、圧力流体を噴出する流体吹出しノズルは、例えば水中の洗浄作業において、高能率、高効率を上げるための水中ノズルが公知となっている。
上記公知技術は、水中において高圧液体を噴出すべきノズルを包囲しかつこのノズルからの液体の噴出方向に開口するデフューザ内に大気に連通する空気管を接続し、もって前記ノズルからの液体の噴射による負圧発生によって前記空気管を介してデフューザ内に空気を吸い込み、その気泡と共に液体を水中に噴出させるようにした水中ノズルを構成するものである（特許文献１を参照）。
しかし、上記水中ノズルは、前記ノズルと前記デフューザとの位置関係が固定であり、前記ノズルを軸方向前後に移動できないと共に、前記ノズルの交換が不可能であった。
そのため、噴出流体の速度調整ができないと共に、各種の用途に合わせたノズルの交換が自由にできなかった。
そこで、本出願人は、ノズルを軸方向前後に移動して噴出流体の速度調整ができると共に、各種の用途に合わせたノズルの交換が可能である流体増速安定装置を発明し、特願２００２−２９３３７０号として出願した。
【０００３】
【特許文献１】実開昭５７−７６７７８号公報
【発明の開示】
【発明が解決しようとする課題】
【０００４】
本発明は、前記特許出願を組み合わせて、圧力流体を噴出する流体吹出しノズルと、流体を吸引する流体吸引ノズルとを合体させた吸排一体装置を提供することを目的とする。
【課題を解決するための手段】
【０００５】
本発明の吸排一体装置は、ノズル外筒内部にノズル嘴を備えた流体吸引ノズルと、ノズル内筒内部にノズル嘴を連結固定した流体吹出しノズルとを背中合わせに連結した構造からなるものにおいて、前記流体吸引ノズルは、先端にゴムホースを連結されて開口するノズル孔と、中央部のデフューザを介して前記ノズル孔より大径のノズル室とに分けられている中空筒体のノズル外筒からなり、前記ノズル室内部には、先端外形が前記デフューザと同形状となるよう傾斜面にし、先端内にオリフィス出口を有する前記ノズル嘴が配置され、キャップ状の接続部の中央孔に雌ネジが形成されると共に、前記ノズル嘴の基部に形成された雄ネジが接続部の中央孔に螺合され、前記中央孔の反対側に流体吹出しノズルのノズル嘴が螺合されて、前記流体吸引ノズルと前記流体吹出しノズルとは前記接続部を介して背中合わせに接合連結したものである。
【発明の効果】
【０００６】
本発明の吸排一体装置によれば、流体の吹出しと吸引を同時に行うことができるので、医療用や産業用として多用途に使用することができる。
また、本発明の吸排一体装置によれば、従来技術ではノズル嘴の交換ができないものであったが、それぞれの用途に合わせてノズル嘴の交換が自由であり、省エネルギータイプから期待する効果を得る大きさの口径が自由に設定でき、噴射流体を得る増速効果についても期待する効果の設定が自由にできる。
【発明を実施するための最良の形態】
【０００７】
以下、本発明の一実施例を図面に基づいて説明する。
本発明の吸排一体装置は、図１の縦断面図に示すように、ノズル外筒１内部にノズル嘴２を備えた流体吸引ノズル３と、前記ノズル外筒１先端に嵌合されたゴムホース４を接続した流体吸引装置５と、ノズル内筒６内部にノズル嘴７を連結固定した流体吹出しノズル８とを背中合わせに連結した構造からなる。
【０００８】
前記ノズル外筒１は、金属製又は強化プラスチック製の中空筒体からなり、先端に開口するノズル孔１０と、中央部内周面に円錐形の傾斜面、すなわちデフューザ１１を介して前記ノズル孔１０より大径に形成されたノズル室１２とに分けられている。
前記ノズル嘴２は、金属製又は強化プラスチック製の中空筒体からなり、先端外形が前記デフューザ１１と同形状となるよう傾斜面に形成し、先端内にオリフィス出口１３を有し、かつ前記ノズル外筒１のノズル孔１０に向かってノズル室１２空間内の同一軸線上を前後移動可能に配置される。
すなわち、前記ノズル嘴２の基部に形成された雄ネジ１４が前記ノズル外筒１の後端を塞ぐキャップ状の接続部９の中央孔１５に螺合され、前記ノズル嘴２の回転により前記ノズル嘴２を前記デフューザ１１に近づけたり、遠ざけたり、前記ノズル室１２空間内の同一軸線上を前後移動可能に微調整することができる。
前記ノズル嘴２の基部の外周面に雄ネジ１４が形成されると共に、前記接続部９の中央孔１５の雌ネジ１６が形成され、前記ノズル嘴７を有する流体吹出しノズル８と背中合わせに螺合されて連結される。
前記流体吹出しノズル８は、金属製又は強化プラスチック製の中空筒体からなり、ノズル内筒６のデフューザ部にノズル嘴７の先端が位置するように連結固定した構造からなる。
【０００９】
前記キャップ状の接続部９は、金属製又は強化プラスチック製からなり、中央孔１５にノズル嘴７の基部が螺合されて前記流体吹出しノズル８が固定され、図２の左側面図に示すように前記接続部９の端面に適宜数の円弧開口状の流体吸引孔１８が形成されて、前記ノズル室１２と連通される。
また、前記接続部９のキャップ状開口内周面に前記ノズル外筒１を嵌合し、前記接続部９と前記ノズル外筒１との間にゴムパッキンのようなシール部材１７を挟んで、前記ノズル外筒１を固定する。
さらに、図１に示すように、前記ノズル嘴２には圧力流体入口１９が接続され、同様に前記ノズル嘴７には圧力流体入口２０が接続され、さらにノズル内筒６には流体吸込み口２１がそれぞれ接続される。
なお、前記流体吸引ノズル３と前記流体吹出しノズル８とは、前述したように前記接続部9を介して背中合わせに螺合連結した構造となる。
【００１０】
以下に、本発明の吸排一体装置の作用を図面に基づいて説明する。
図１に示す流体吸引装置５において、前記ノズル外筒１を閉塞している接続部９の中央孔１５に螺合しているノズル嘴２を右回転又は左回転させ、この右回転又は左回転によりデフューザ１１とノズル嘴２先端と距離間隔が調節され、この距離間隔の調節により圧力流体の増速効果が変化する。
また、用途に応じて前記ノズル嘴２を交換可能とし、それに応じて前記接続部９も交換可能とする。
圧力流体の増速効果のために間隔調節が終わったら、流体供給源（図示せず）に連結する圧力流体入口１９、２０から圧力流体が供給されて前記ノズル嘴２及びノズル嘴７から圧力流体が噴出される。
【００１１】
前記圧力流体入口１９からの圧力流体は、前記ノズル嘴２のオリフィス出口１３からノズル孔１０に向かって噴射され、この噴射により、ノズル室１２の空気が誘引される。
前記ノズル室１２の空気は、ノズル孔１０内の圧力流体を囲むようにして圧力流体と一緒に外気に噴射されると共に、前記ノズル室１２には負圧が発生するので、接続部９の流体吸引孔１８から外気が導入される。
また、前記デフューザ１１と前記ノズル嘴２先端との距離間隔の調節を手動で行うようにしたが、これを自動的に制御機器で前後移動できるように構成し、圧力流体の増速効果を自動的に変化させることも可能である。
このように構成することにより、ノズル嘴２を制御機器で前後移動させることで前記デフューザ１１とノズル嘴２先端との距離間隔が調節され、前記ノズル室１２の負圧を自動的に調節することができる。
【００１２】
前記圧力流体入口２０からの圧力流体は、前記ノズル嘴７の先端からノズル内筒６に向かって噴射され、この噴射により、流体吸込み口２１の流体が誘引され、前記流体吸込み口２１の流体はノズル内筒６内の圧力流体を囲むようにして圧力流体と一緒に外気に噴射される。
したがって、流体吹出しノズル８からの流体吹出しが行われる一方、流体吸引ノズル３では流体吸引が行われる。
なお、空気中での説明を行ったが、水中でも同様に行うことができる。
【００１３】
他の実施例として、図３に示すように、円筒状のノズル外筒１内にノズル内筒６のデフューザ部にノズル嘴７の先端が位置する前記流体吹出しノズル８を設け、該流体吹出しノズル８に背中合わせに他方の流体吸引ノズル３を設け、他方の流体吸引ノズル３にはノズル内筒６のデフューザ部近傍に開口部２２を設け、前記デフューザ部にノズル嘴７の先端が位置するように連結固定してなる
そして、前述と同様に、前記ノズル嘴７には圧力流体入口１９が接続され、同様に前記ノズル嘴７には圧力流体入口２０が接続され、さらにノズル内筒６には流体吸込み口２１がそれぞれ接続される。
他の実施例の作用について述べると、流体供給源（図示せず）に連結する圧力流体入口１９、２０から圧力流体が供給されて前記ノズル嘴７から圧力流体を噴射すると、開口部２２に負圧が発生し、前記開口部２２に連通しているノズル外筒１内部から流体が吸引されてノズル内筒６内で圧力流体と混合されて一緒にゴムホース４内に噴射される。
したがって、流体吹出しノズル８からの流体吹出しが行われる一方、他方の流体吸引ノズル３では流体吸引が行われる。
【産業上の利用可能性】
【００１４】
本発明の活用例として、次のような用途があげられる。
医療用として、排便の補助具、すなわち「自動浣腸排便装置」イチヂク型浣腸器では、使用後抜く時に液体漏れが生じ不衛生であるが、本発明では便の排出まで一体型で行うため抜くこともなく衛生的であるのと、介護する方も直接便を見ることなく、匂いなどの不快感がない。
医療用として、体内の血管を通して、目的とする臓器のみに効果的な薬剤を噴出し、余分な流体及び漏れている血液などを吸引する装置。
医療用として、腸内などにおける治療薬の投与などに、カメラと一体型として製作し、患部に直接治療薬を投与しその場で回収する装置。
産業用として、トンネル掘削用、高圧流体に鉄片などを混ぜて強く吹くことにより、岩石などを微細物にして流体と一緒に回収しつつ前に進むことにより穴をあける装置。
環境用として、閉ざされた場所、例えばトンネル、部屋内に有毒ガスがある場合、天井、壁などを通して、高圧噴射ノズルから酸素などを入れ、同時に吐出しノズルにて有害ガス類を外部に放出する装置。
消防用として、火災現場では、高圧流体と消化剤を吹き付けて消火を進め、同時に有害ガス類などを排出する装置。
産業用として、ガス発生装置、ガス混合装置、すなわちノズルと合体した容器に物質を入れ、別の物質を入れることで化学反応を導き、結果としてガス類を発生させて放出する手段を有する装置。
【図面の簡単な説明】
【００１５】
【図１】本発明の吸排一体装置の縦断面図である。
【図２】本発明の吸排一体装置の左側面図である。
【図３】本発明の吸排一体装置の他の実施例の縦断面図である。
【符号の説明】
【００１６】
１  ノズル外筒
２  ノズル嘴
３  流体吸引ノズル
４  ゴムホース
５  流体吸引装置
６  ノズル内筒
７  ノズル嘴
８  流体吹出しノズル
９  接続部
１０  ノズル孔
１１  デフューザ
１２  ノズル室
１３  オリフィス出口
１４  雄ネジ
１５  中央孔
１６  雌ネジ
１７  シール部材
１８  流体吸引孔
１９  圧力流体入口
２０  圧力流体入口
２１  流体吸込み口
２２  開口部
【図１】
2005288231.tif 000003
【図２】
2005288231.tif 000004
【図３】
2005288231.tif 000005